(57)【要約】【課題】  モニタスタンド全体を任意の角度や位置に変化させることができ、さらに設置した物体内にモニタを平らに収納することが可能なモニタスタンドを提供すること。【解決手段】  モニタＢ１の背面に設けられた連結装置Ｂ２と、モニタＢ１を支持する支持管Ｂ３と、収納管Ｂ４とから構成される。連結装置Ｂ２は自在継ぎ手よりなると共に支持管Ｂ３の先端が連結され、支持管Ｂ３は、可塑性金属管で構成されて管軸方向と交差する方向に屈曲自在でかつ管軸回りに回動可能である。支持管Ｂ３の周面の長手方向にラック部Ｂ３１が設けられると共に、収納管Ｂ４の内側にラック部Ｂ３１と噛み合うピニオンＢ４１が回転自在に設けられ、ラック部Ｂ３１とピニオンＢ４１とにより、支持管Ｂ３が収納管Ｂ４の内部に対して出し入れ自在に収納されてなる。【選択図】          図２
0003115381.tif 000002
【実用新案登録請求の範囲】
【請求項１】
モニタの背面に設けられた連結装置と、前記連結装置に連結されて前記モニタを支持する支持管と、前記支持管が内部に収納される収納管とから構成されるモニタスタンドであって、前記連結装置は自在継ぎ手よりなると共に前記支持管の先端が連結され、前記支持管は、可塑性金属管で構成されて管軸方向と交差する方向に屈曲自在でかつ前記管軸回りに回動可能であり、前記支持管の周面の長手方向にラック部が設けられると共に、前記収納管の内側に前記ラック部と噛み合うピニオンが回転自在に設けられ、前記ラック部と前記ピニオンとにより、前記支持管が前記収納管の内部に対して出し入れ自在に収納されてなることを特徴とするモニタスタンド。
【請求項２】
前記モニタの縁部に、該モニタの位置を移動させて調整するとき使用者が施力するために用いるためのハンドル部が設けられていることを特徴とする請求項１に記載のモニタスタンド。
【考案の詳細な説明】
【技術分野】
【０００１】
本考案は、例えば、パーソナルコンピュータのディスプレイ装置として使用されるモニタを支持するモニタスタンドに関する。
【背景技術】
【０００２】
図１０は、従来のモニタスタンドの斜視図である。図１０に示すように、従来の一般的なモニタスタンドＡは、モニタＡ１の背面が固定座部Ａ２に対して水平な軸回りに回動可能に取り付けられ、この固定座部Ａ２が支持棒Ａ３を介して台座Ａ４に連結・固定された構造となっている。
【考案の開示】
【考案が解決しようとする課題】
【０００３】
このため、モニタＡ１の姿勢と位置は、固定座部Ａ２と支持棒Ａ３との接合箇所で上に向けるか下に向けるかの小さな角度での変化が可能であるのみであり、左右に移動させて調整することはできなかった。したがって、使用時に一つの姿勢を持続していると、目が疲れたり脊椎に負担がかかったりするため、作業効率が低下してしまっていた。
【０００４】
また、モニタＡ１の高さは使用者によって異なるため、支持棒の高さを変えることができない状況下においては、使用時に頚部の負担となり、その全体高さを調節したい場合は、台座Ａ４の下に物を置いて全体の高さを調整するしかなく、実に不便である。
【０００５】
そこで、本考案の目的は、モニタスタンド全体を任意の角度や位置に変化させることができ、さらに設置した物体内にモニタを平らに収納することが可能なモニタスタンドを提供することにある。
【課題を解決するための手段】
【０００６】
請求項１に係るモニタスタンドは、上記課題を解決するために、モニタの背面に設けられた連結装置と、前記連結装置に連結されて前記モニタを支持する支持管と、前記支持管が内部に収納される収納管とから構成されるものであって、前記連結装置は自在継ぎ手よりなると共に前記支持管の先端が連結され、前記支持管は、可塑性金属管で構成されて管軸方向と交差する方向に屈曲自在でかつ前記管軸回りに回動可能であり、前記支持管の周面の長手方向にラック部が設けられると共に、前記収納管の内側に前記ラック部と噛み合うピニオンが回転自在に設けられ、前記ラック部と前記ピニオンとにより、前記支持管が前記収納管の内部に対して出し入れ自在に収納されてなることを特徴とする。
【０００７】
請求項２に係るモニタスタンドは、請求項１に係るモニタスタンドにおいて、前記モニタの縁部に、該モニタの位置を移動させて調整するとき使用者が施力するために用いるためのハンドル部が設けられていることを特徴とするものである。
【考案の効果】
【０００８】
本考案の請求項１に係るモニタスタンドによれば、支持管の周面の長手方向にラック部が設けられると共に、収納管の内側にラック部と噛み合うピニオンが回転自在に設けられた構成により、支持管を収納管に対して伸縮させて支持管の長さ調整を行うことができ、且つ、連結装置、可塑性金属管で構成された支持管及び収納管の相互間の動きを組み合わせることにより、モニタの角度と位置を使用者の希望どおりに調整することができる。従って、使用者が最も快適な姿勢に合わせて最適な調整を行うことで、輻射を抑え疲労を防ぎ、使用時の作業効率を向上することができる。また、収容管を例えば、机の上面、壁面、天井面等の設備内部に埋め込んで設置した場合、モニタスタンド全体を平らに嵌め込み収納することができ、空間を節約できる。
【０００９】
請求項２に係るモニタスタンドによれば、支持管を収納管に対して伸出または挿入させる動作を行う際、使用者が容易に施力することができる。
【考案を実施するための最良の形態】
【００１０】
以下、本考案の実施の形態を図面に基いて詳細に説明する。図１は、本考案の実施形態に係るモニタスタンドの斜視図である。図２は図１のモニタスタンドを分解して示す斜視図である。図１乃至図２に示すように、モニタスタンドＢは、概略として、モニタＢ１の背面に設けられた連結装置Ｂ２と、連結装置Ｂ２に連結されてモニタＢ１を支持する支持管Ｂ３と、支持管Ｂ３が内部に収納される収納管Ｂ４とから構成されている。
【００１１】
連結装置Ｂ２は自在継ぎ手により構成されており、連結装置Ｂ２には、支持管Ｂ３の先端が連結されている。支持管Ｂ３は、例えば、デスクライト等で使用されている蛇管等の可塑性金属管で構成されており、管軸方向と交差する方向に屈曲自在でかつ管軸回りに回動可能である。また、支持管Ｂ３は、管軸方向と交差する方向の断面形状が矩形状をなしており、外側面には長手方向にラック部Ｂ３１が設けられている。支持管の内部にはモニタＢ１への電源供給用のコードＢ１２が挿通される。なお、コードＢ１２は、支持管Ｂ３の内部で遊びを持たせ、支持管Ｂ３のあらゆる動作変化にも対応できるようにする。
【００１２】
図３は、収納管Ｂ４の要部を破断して示す斜視図である。収納管Ｂ４は、内部に支持管Ｂ３を収納するための中空の収納部Ｂ４２が設けられ、収納部Ｂ４２の上部内側面にラック部Ｂ３１と噛み合うピニオンＢ４１が回転自在に設けられている。支持管Ｂ３を収納管Ｂ４に対して引き出したり押し込んだりする、ラック部Ｂ３１に噛み合うピニオンＢ４１が回転することにより、支持管Ｂ３が収納管Ｂ４の内部に対して出し入れ自在に収納される。なお、収納管Ｂ４はモニタＢ１を設置する物体内に嵌入されて固定される。
【００１３】
支持管Ｂ３は、可塑性金属管で構成されていることにより、多角度（全方向）に屈曲させることができる。また、支持管Ｂ３は、ラック部Ｂ３１とピニオンＢ４１とにより、収納管Ｂ４の内部に対して伸出移動または挿入移動させることができ、長さの調整が可能である。モニタスタンドＢは、連結装置Ｂ２、可塑性金属材料で構成された支持管Ｂ３及び収納管Ｂ４の相互間の動きを組み合わせることにより、モニタＢ１の角度と位置を使用者の希望どおりに調整することができる。これにより、使用者が最も快適な姿勢に合わせて最適な調整を行うことで、輻射を抑え疲労を防ぎ、使用時の作業効率を向上することができる。
【００１４】
モニタＢ１は、支持管Ｂ３を収納管Ｂ４内に全部入れると、収納管Ｂ４が設置された物体内に平らに嵌め込まれた状態となり、この収納動作により、支持管Ｂ３全体を隠し込んで空間を節約することができる。
【００１５】
また、モニタＢ１の上縁部には、該モニタＢ１の位置を移動させて調整するとき使用者が施力するために用いるための滑り止めとしてのハンドル部Ｂ１１が設けられている。支持管Ｂ３を収納管Ｂ４に対して伸出または挿入させる動作を行う際、ハンドル部Ｂ１１を用いて使用者が容易に施力することができる。
【００１６】
図５及び図６に示すように、モニタＢ１を机Ｃの表面に平らに嵌め込むと、机上の空間の運用を節約することができる。モニタＢ１の位置を調整する場合は、モニタＢ１の辺縁部に設けられたハンドル部Ｂ１１を用いて引っ張り、支持管Ｂ３を収納管Ｂ４の内から引き出し、且つ、連結装置Ｂ２、支持管Ｂ３及び収納管Ｂ４の相互間の組み合わせでモニタスタンドＢ全体に連続的な動作を形成させ、モニタスタンドＢ全体の長さ及び角度を任意に調整することができ、モニタＢ１をさまざまな角度に移動させて好みの位置に調整することができる。使用者は最も快適な姿勢になるよう最適状態に調整することで、疲労を防ぎ、使用時の作業効率をアップすることができる。
【００１７】
図７及び図８に示すように、本考案のモニタスタンドＢは、モニタＢ１を壁Ｄ内に平らに嵌め込み、収納した状態にすることもできる。モニタＢ１の辺縁部に設けられたハンドル部Ｂ１１を外側へ引っ張り、支持管Ｂ３を収納管Ｂ４内から引き出し、且つ、前述の連続的な動作により、モニタスタンドＢ全体の角度を任意に調整できると共に好みの位置まで移動させることができる。モニタＢ１を見る時は、使用者の好みに応じて適切な調整を行い、使用時の利便性と快適性を向上することができる。反対に、支持管Ｂ３をすべて収納管Ｂ４内に収納し、モニタＢ１を平らに壁Ｄ内に嵌め込むと収納動作が完了する。
【００１８】
さらに、図８及び図９に示すように、本考案のモニタスタンドＢは、モニタＢ１を車両Ｅの内部の天井に平らに嵌め込み、収納した状態にすることもできる。モニタＢ１の辺縁部に設けられたハンドル部Ｂ１１を下方向へ引っ張り、支持管Ｂ３を収納管Ｂ４内から引き出し、且つ、連結装置Ｂ２、支持管Ｂ３及び収納管Ｂ４の相互間の組み合わせで連続的な動作を形成させ、モニタＢ１の角度を任意に調整したり、適切な位置に移動させたりすることができる。反対に、前述の連続的動作により、モニタＢ１を平らに車両Ｅの天井に嵌め込むと、収納動作が完了する。この空間をとらない平らな嵌め込み設計により、モニタＢ１の寸法を大きく調整することができ、従来の固定式小型モニタに代わり、よりよい視覚効果を得ることができる。
【図面の簡単な説明】
【００１９】
【図１】本考案の実施形態に係るモニタスタンドの斜視図である。
【図２】モニタスタンドを分解して示す斜視図である。
【図３】収納管の要部を破断して示す斜視図である。
【図４】本考案のモニタスタンドを机に設置し、収納した状態を示す図である。
【図５】図５のモニタスタンドの位置調整時の状態を示す図である。
【図６】本考案のモニタスタンドを壁に設置し、収納した状態を示す図である。
【図７】図６のモニタスタンドの位置調整時の状態を示す図である。
【図８】本考案のモニタスタンドを天井に設置し、収納した状態を示す図である。
【図９】図８のモニタスタンドの位置調整時の状態を示す図である。
【図１０】従来のモニタスタンドの斜視図である。
【符号の説明】
【００２０】
Ａ  モニタスタンド
Ａ１  モニタ
Ａ２  固定座部
Ａ３  支持棒
Ａ４  台座
Ｂ  モニタスタンド
Ｂ１  モニタ
Ｂ１１  ハンドル部
Ｂ１２  コード
Ｂ２  連結装置
Ｂ３  支持管
Ｂ３１  ラック部
Ｂ４  収納管
Ｂ４１  ピニオン
Ｂ４２  収納部
Ｃ  机
Ｄ  壁
Ｅ  車両
【図１】
0003115381.tif 000003
【図２】
0003115381.tif 000004
【図３】
0003115381.tif 000005
【図４】
0003115381.tif 000006
【図５】
0003115381.tif 000007
【図６】
0003115381.tif 000008
【図７】
0003115381.tif 000009
【図８】
0003115381.tif 000010
【図９】
0003115381.tif 000011
【図１０】
0003115381.tif 000012